(57)【要約】【課題】表示装置において輝度を最適化するための方法において、ＥＭＩ（電磁波干渉）問題を改善することである。【解決手段】前記課題は、画像ロードに関連して閾値を設定するステップと、１フレームごとに現在のサステインパルスの数と前記閾値とを比較するステップと、現在のサステインパルスの数が閾値を下回る場合、サステインパルスを、固定された周波数で形成するステップと、現在のサステインパルスの数が閾値を上回る場合、サステインパルスを、上昇された周波数で形成するステップとを有する方法によって解決される。【選択図】図６
2004341481.tif 000002
【特許請求の範囲】
【請求項１】
表示装置において輝度を最適化するための方法であって、
該表示装置には、画像の画素に相応する複数の発光素子が設けられており、
ビデオフレームまたはビデオフィールドの持続時間を、複数のサブフィールドに分割し、
該サブフィールドの間、発光エレメントを、発光するためにサステインパルスによって駆動し、
該サステインパルスは、サブフィールドコードワードに相応し、
該サブフィールドコードワードは、輝度制御のために使用され、
サステインパルスの合計数は、画像ロードの選択された出力モード関数の観点で決定される形式のものにおいて、
閾値を画像ロードに関連して設定するステップと、
フレームごとに、現在のサステインパルスの数と該閾値とを比較するステップと、
現在のサステインパルスの数が閾値を下回る場合、サステインパルスを固定された周波数で形成し、現在のサステインパルスの数が閾値を上回る場合、サステインパルスを、上昇された周波数で形成するステップとを有することを特徴とする方法。
【請求項２】
該閾値を、フル白色画像のＡＰＬ（平均出力レベル、Average Power Level）の所定のパーセンテージに相応するサステインパルスの数に設定する、請求項１記載の方法。
【請求項３】
固定された周波数は、安定的なパネル特性が得られる最適なサステイン周波数に相応する、請求項１または２記載の方法。
【請求項４】
上昇された周波数は、増加に追従して漸次的に上昇する、請求項１から３までのいずれか１項記載の方法。
【請求項５】
前記増加は線形増加であるか、または乗算係数を使用する増加等の別の形式の数学的な増加である、請求項４記載の方法。
【請求項６】
少なくとも平均画像出力測定回路（１１）と、サブフィールド符号化ユニット（１３）と、出力レベル制御ユニット（１２）とが設けられており、
前記出力レベル制御ユニット（１２）は、出力レベルモードのテーブルを記憶する形式の装置において、
サステインパルスの現在の数をカウントするためのカウンタと、該現在の数と閾値とを比較し、使用される増加関数に基づいて該サステインパルスの長さを変更するための手段とが設けられていることを特徴とする、請求項１から５までのいずれか１項記載の方法を実施するための装置。
【発明の詳細な説明】
【技術分野】
【０００１】
本発明は、表示装置において輝度を最適化するための方法および装置に関する。とりわけ本発明は、ディスプレイ上に表示される画像の画質を改善するための一種のビデオ処理に関する。前記ディスプレイはここでは、プラズマディスプレイパネル（ＰＤＰ）等のディスプレイと、発光のデューティサイクル変調（パルス幅変調）の原理を基礎とするすべての種類のディスプレイである。
【背景技術】
【０００２】
現在、プラズマディスプレイ技術によって、限られた奥行きでいかなる視野角の制約もなく、大型のフラットカラーパネルを実現することができる。ディスプレイのサイズは、従来のＣＲＴブラウン管におけるサイズの限界よりも格段に大きくすることができる。ヨーロッパのＴＶセットの最新の世代に関しては、画素を改善するために数多くの業績がなされている。その結果、プラズマディスプレイ技術等の新たな技術で製造されるＴＶセットは、従来の標準的なＴＶ技術と同等の画像またはそれよりも良好な画像を提供すべきという強い要求が生じるようになった。この画質は、以下のような異なるパラメータに分解される：
パネルの良好な応答忠実度：これは、１つの画素だけがブラックスクリーンの中間で「オン」になり、かつパネルが良好な均一性を呈すべきであることを意味する。
【０００３】
スクリーンの良好な輝度：これは、パネルの非駆動時間、すなわち光が供給されない時間によって制限される。
【０００４】
非発光領域（dark room）も含む良好なコントラスト比：これは、ブラックレベルと組み合わされたパネルの輝度によって制限される。
【０００５】
これらすべてのパラメータは、相互に完全な関連性を有する。したがって、最終的に最良の品質の画像を提供するためには、最適な妥協を選択しなければならない。
【０００６】
プラズマディスプレイパネルでは、放電セルのマトリックスアレーが使用される。これらの放電セルは、「オン」または「オフ」にしかならない。ＣＲＴやＬＣＤでは、発光のアナログ制御によってグレーレベルが表現されるが、このＣＲＴやＬＣＤとは異なり、ＰＤＰでは、フレームあたりの光パルスの数を変更することによってグレーレベルが制御される。目はこの時間変調を、１周期にわたって統合する。この１周期は、視覚時間応答（eye time response）に相応する。ビデオ振幅によって光パルスの数が決定され、このことは所定の周波数で行われるので、この振幅が大きくなれば、視覚パルス（eye pulse）がより多くなり、ひいては「オン」時間がより長くなる。そのため、この種の変調はＰＷＭ（パルス幅変調（pulse width modulation）の略称）として知られている。このＰＷＭのためのコンセプトを確立するため、各フレームをサブ周期に分割する。このような下位周期は、「サブフィールド」と称される。小さな光パルスを形成するためには、電気的な放電が、プラズマと称されるガス充填セルにおいて発生し、発生されたＵＶ発光が色蛍光体を励起する。この色蛍光体によって光が放射される。
【０００７】
どのセルを点灯するかを選択するためには、第１の選択動作によって、点灯すべきセルにおいて帯電が行われる。この第１の選択動作は「アドレシング」と称される。各プラズマセルは、長時間にわたって帯電を持続させるコンデンサと見なすことができる。次に、点灯周期中に行われる一般的な動作により、該セルにおいてさらに帯電が行われる。この一般的な動作は「維持（サステイン）」と称される。第１選択動作中にアドレシングされたセルにおいてのみ２つの帯電が行われ、該セルの２つの電極間にて点灯電圧が発生する。ＵＶ発光が発生し、このＵＶ発光が蛍光体を励起し、発光が行われる。各固有のサブフィールドの維持周期全体にわたって該セルは、所定のサステイン周期の小さなパルスで点灯される。最後に、消去動作によってすべての電荷が除去され、新規の周期が準備される。ＡＤＳ（アドレス表示分離）として知られている標準的なアドレス手法では、これらすべての基本的なサイクルが順番に実行される。このことは図１に示されている。図１は、フレームの開始時にプライミングパルスが１つだけ使用される、８ビット符号化を基礎とするＡＤＳの一例である。この場合、グレーレベルは以下の８つのビットの組み合わせによって表される：
１‐２‐４‐８‐１６‐３２‐６４‐１２８
したがって、フレーム周期は８つのサブフィールドに分割され、各サブフレームは１つのビットに相応する。ビット２に対する光パルスの数は、ビット１に対する光パルスの数の２倍であり、以下同様である。このようにして、サブフィールドの組み合わせにより、２５６のグレーレベルを形成することができる。これは一例に過ぎず、改善するために、サブフィールドまたはプライミングの数を品質ファクタの観点で変更することができる。
【０００８】
実際にはこのようなタイプのディスプレイに関しては、輝度が高くなればサステインパルスが多くなる。このことは、ピーク光度が高くなることも意味する。サステインパルスが多くなるということは、電子回路にて流れる電力が高くなることにも相応する。したがって、特別な管理が実施されなければ、所定の電気的効率に対するピーク光度を上昇させると消費電力が増加してしまう。
【０００９】
ピーク白色強調に関連するすべての種類のパワーマネージメントコンセプトの背景にある主要な思想は、ピーク光度を画像内容に依存して変化させることを基礎としている。
【００１０】
比較的高い消費電力を引き起こす画像は、フル白色画像である。したがって、要求された消費電力および所定の電気的効率に対して、フル白色の光度が固定される。その後、他のすべての画像内容に対して、消費電力が安定するように、ピーク光度が適合される。このことは図２に示されている。この図には、ピーク白色画像からフル白色画像までの画像ロードが増加する場合の光度の低下が示されている。より詳細には、ＰＤＰスクリーンがフル白色画像を表示する場合（図２では右方のスクリーン）、目に対して光度の印象を良好にするためには、光度を低下させなければならない。というのも、この光度は視界の非常に大きな部分に表示されるからである。他方では、ＰＤＰスクリーンが低エネルギーを有する画像を表示する場合（図２では左方のスクリーン）、コントラスト比は目に対して非常に重要である。この場合、コントラスト比を強調するため、使用可能な最高の白色光度が画像上に出力されなければならない。
【００１１】
このようなコンセプトは、人間の視覚系統に非常に適している。人間の視覚系統は、フル白色画像の場合に眩惑させられるにもかかわらず、動画の、この場合暗い画像（たとえば月を伴う暗い夜）に対して非常に敏感である。それゆえ、暗い画像上で高コントラストの印象を増大させるため、ピーク光度を非常に高い値にセットし、それに対して高エネルギーの画像（フル白色）の場合にはピーク光度を低減する。この基本的な原理によって消費電力が安定化される。このことは、図２において水平線によって示されている。
【００１２】
プラズマディスプレイの場合、光度と同様に消費電力も、フレームあたりのサステインパルスの数に直接関係している。このことは、アナログシステムと比較して、離散的な出力レベルの数を単に低減させるだけであるという欠点を有する。換言すれば、ＰＤＰに適応されたパワーマネージメントのコンセプトは、全体的な消費電力を一定に維持するため、サステインパルスの総数を画像内容に依存して変更することを基礎としている。このようなコンセプトは図３に示されている。図３には、画像ロードに関連してサステインパルスの数が示されている。
【００１３】
プラズマ等の完全にデジタル型のディスプレイの場合、離散的なモードのみが図３の曲線上に定義されている。この図３は、画像内容または画像ロードの測定結果を基礎としている。この測定結果は主に、平均出力レベル（Average Power Level）の略称であるＡＰＬと呼ばれており、以下のように計算される：
【００１４】
【数１】
2004341481.tif 000003
【００１５】
ここではＩ（ｘ，ｙ）は、表示される画像を表す。この画像は、Ｃ個の列とＬ個の行を有する。この主要な目的により、モードの離散的な数を最適に検出することができる。
【００１６】
最適な出力モードが、異なるＡＰＬ値に対するサステインパルスの所定の数に基づいて求められた後、サステインパルスをサブフィールドのシーケンスの中で分配しなければならない。一方では、動きアーティファクトを低減して高品質の表示を保証するために、サブフィールドの多数が必須である。他方では、各サブフィールドのために要求される各アドレシング動作は非駆動時間に相応し、この非駆動時間では光パルスが形成されない。さらに、使用可能なサステイン周波数は固定されており、通常は、画像内容に依存する光度の変化を回避するため、最適なパネル機能に相応する。
【００１７】
換言すれば従来は、最適なサステイン周波数はすべてのＡＰＬ値に対して固定されており、最適値（たとえば、この例では２００ｋＨｚ）にセットされていた。明らかにこのことによって、多数のサブフィールドに対する高いピーク光度を表示するためのパネルの能力は低減されてしまう。それゆえ従来は、パネルの良好な均一性でより高いピーク光度に到達するために、新たなアプローチが定義された。この解決手段のうちいくつかは、たとえばＷＯ００／４６７８２またはＷＯ０２／１１１１１に、同出願人の名義で記載されている。高いピーク光度は、低い電荷量を有する画像、すなわち均一性の問題に対して比較的デリケートではない画像に対してのみ必須であるため、最適なサステイン周波数はここでは要求されない。したがって、最適化されたパワーマネージメントのための現在の従来技術は、低電荷量のサステイン周波数の変化を基礎としている。このことは、１２個のサブフィールドの分布に関する図４に示されている。
【００１８】
この例では、画像ロードが２０％を下回っている場合、サステイン周波数は上昇する。しかしこの周波数は、さらにロードされた画像に対しては固定されている。ここで明らかであるように、ここに示された値のすべては単なる例であり、供給業者ごとに別の値（たとえば値２０％）に変更しなければならない。実際、幾つかの供給業者はこの周波数を維持し、別の供給業者は各ＡＰＬ値および各画像チャージに対して、異なるサステイン周波数を有する。しかし、上記のコンセプトは次のような幾つかの制限を有する：
所定のＡＰＬ値に対して、サステイン周波数は所定の値に固定されている。前記所定の値はたとえば、１００％チャージでは２００ｋＨｚであり、低チャージに対しては３２０ｋＨｚである。ここでは、サステイン周波数値のシフトが存在するのみである。この場合、該サステイン周波数で検出されるＥＭＩ（電磁波干渉、Electro-Magnetic Interference）ピークの位置もまた、該サステイン周波数とともに上昇する。このＥＭＩピークは強いままであるため、常に強いフィルタが必要とされる。このようなフィルタによって、輝度が低減してしまう。
【００１９】
パネルのパネル効率も電圧マージンも、サステイン周波数に大幅に依存する。換言すれば、サステイン周波数が最適値と異なりすぎる場合、電圧マージンの損失と同様にパネル効率の損失も発生してしまうおそれがある。さらに、マージンおよび効率への悪影響は、下位のサブフィールド（ＬＳＢ）が有するエネルギーが低減すると、強くなってしまう。この場合、多くの類似点を有する２つの画像間でＡＰＬが変化すると、暗い領域における変化が知覚されてしまう（目は、このような領域の方が格段に敏感である）。
【発明の開示】
【発明が解決しようとする課題】
【００２０】
本発明の方法および装置の課題は、ＥＭＩ（電磁波干渉）問題を改善することである。
【課題を解決するための手段】
【００２１】
前記課題は、画像ロードに関連して閾値を設定するステップと、１フレームごとに現在のサステインパルスの数と前記閾値とを比較するステップと、現在のサステインパルスの数が閾値を下回る場合、サステインパルスを、固定された周波数で形成するステップと、現在のサステインパルスの数が閾値を上回る場合、サステインパルスを、上昇された周波数で形成するステップとを有する方法によって解決される。
【発明を実施するための最良の形態】
【００２２】
本発明では閾値は、フル白色画像のＡＰＬ（平均出力レベル、Average Power Level）の所定のパーセンテージに相応するサステインパルスの数に設定される。選択された数は、各画像が完全に均一であるようになっている。さらに、固定された周波数は、最適なサステイン周波数に相応し、この最適なサステイン周波数によってパネル特性が安定的になる。上昇する周波数は次第に上昇し、その結果、線形のプログレッションかまたは別の形態のプログレッションが得られる。この別の形態のプログレッションは、たとえば乗算係数を使用するプログレッションである。
【００２３】
本発明はまた、本発明による方法を実施するための装置にも関する。本装置は、少なくとも１つの平均画像出力測定回路と、サブフィールド符号化ユニットと、出力レベル制御ユニットと、サステインパルスのその時点の数をカウントするためのカウンタと、前記その時点の数と閾値とを比較するための手段と、使用される増加関数に基づいてサステインパルスの長さを変化させるための手段とを有する。前記出力レベル制御ユニットは、出力レベルモードの表を記憶する。
【実施例】
【００２４】
本発明の方法を、ＰＤＰに関連して説明する。このＰＤＰでは、１２のサブフィールドのサブフィールド編成による上記のＡＤＳアドレス方式が使用される。このサブフィールド編成は一例にすぎず、画質を改善するため、文献から公知である別の編成も使用することができる。このような別の編成はたとえば、より多くのサブフィールドを有し、および／または、サブフィールドの重みが異なる編成である。
【００２５】
また本発明の方法では、たとえばThomson Licensing S.A.の名義のＷＯ００／４６７８２に記載されているような出力制御方法も使用される。この方法では、サステインパルスの数が平均画像出力の関数として定義されている。すなわち、異なる出力レベルを有する異なるモード間で切り替わる。サステインパルスの総数は、所定の画像に対する出力レベルエンハンスメント（ＰＬＥ：Power Level Enhancement）または平均出力レベル（ＡＰＬ）の測定結果に依存する。したがってフル白色画像に対しては、サステインパルスの数は少なく、ピーク白色画像に対してはサステインパルスの数は多い。ここでは、消費電力は等しい。
【００２６】
本方法はまた、各サステインパルスの持続時間によってサステインパルスの量が決定され、サステインパルスはフレーム周期ごとに、サステインのために使用できる時間に依存して形成されるという事実を基礎としている。またこのことによって、サステインパルスの周波数も決定される。一般的に、サステインパルス持続時間に対して最小値が存在し、このことによって良好なサステイン動作が保証され、パネル応答の忠実度が良好になる。残りのサステイン持続時間によってマージンが形成され、このマージンはサステイン周波数をパネル特性に適合するために使用される。実際、各パネルは、特性が完全に安定している領域を有する。安定的なパネル特性は、特定のサステイン周波数または最適なサステイン周波数に対して得られ、この特定のサステイン周波数または最適なサステイン周波数は実際には、最大ピーク白色を達成するために必要とされる周波数よりも低く、かつ画像表現を均一にする周波数である（高チャージの画像および低チャージの画像の光度は等しい）。
【００２７】
したがって上記の構成を基礎として、本発明の方法はまず、画像ロードに関連して閾値を設定することを含む。閾値は実際には、画像ロードの特定のパーセンテージに相応するサステインパルスの総数である。このパーセンテージは、完全な均一性を有する画像ロードの限界に相応する。実際、所定のパネルおよび所定のディスプレイモード（すなわち５０Ｈｚ、６０Ｈ...）に対して閾値は固定されており、ＰＤＰ制御ＩＣ内の表に記憶されている。実際の例を以下で紹介する。
【００２８】
閾値が設定されると、本方法ではフレームごとに、現在のサステインパルスの数と前記閾値とが比較され、前記の数が閾値を下回る場合、サステインパルスは固定された周波数で形成され、前記の数が上回る場合、サステインパルスは上昇された周波数で形成される。このようにして、たとえば１００％〜７５％の間のＡＰＬに相応する画像等の高チャージ画像に対するサステイン周波数は、最適値で維持しなければならず、７５％を下回る低チャージ画像に対してはサステイン周波数は増加し、大きな振幅を有する先行のサステインピークが、振幅がより小さく、かつより大きなスペクトルによって置換される。このことは図５に示されている。図５には、高いピーク光度を有する画像に対する可変のサステイン周波数を使用することにより、ＥＭＩ（電磁波干渉）放射の振幅が減少することが明確に示されている。エネルギー速度は等しいが、拡散された周波数の総数が多くなっている。したがって、比較的妨害にはならない。その結果、ＥＭＩの問題なしで、より高い輝度が得られる。
【００２９】
実際、コンセプトを具現化する際にはサステインの数がカウントされ、実行すべき新たなサステイン動作の長さが決定される。
【００３０】
こうするため、その時点のサステイン数に相応する変数Ｓが設定される。たとえば、第１のサブフィールドの第１のサステインパルスは位置１（Ｓ＝１）を有し、最後のサブフィールドの最後のサステインパルスは位置Ｍ（Ｓ＝Ｍ）を有する。ここではＭは、現在のフレームで表示されるサステインパルスの総数を表す。
【００３１】
したがって、サステインパルス（周波数）の長さはこの値Ｓに依存する。この持続時間と値Ｓとの間の関係は、以下の情報に基づいて計算する。
【００３２】
・高チャージ画像に対する閾値に相応する限界Ｃ：Ｓ＜Ｃである場合、サステインパルス持続時間は最適なサステインパルス持続時間に設定される。このことにより、上記で説明されたロードのすべての問題が低減される。
【００３３】
・どの程度の時間がサステイン動作に対して使用可能であるかということ（アドレシング速度、サブフィールドの数...に依存する）、および、ピーク白色画像（低チャージ画像）に対して使用すべきサステインパルスの数。
【００３４】
この情報に依存して、サステインパルスの長さが計算される。このことは、次の例に示されている。
【００３５】
この例は、ＡＤＳ方式を使用してアドレシングされるパネルに関連して説明される。該パネルは、１２のサブフィールドのサブフィールド編成を有するパネルである。ここでは、最適なサステイン周波数または安定的なサステイン周波数は２００ｋＨｚである。さらに、以下の値は例として使用されるので、パネル技術に依存して別の値も使用できることが理解される。
【００３６】
閾値Ｃは５００に等しく、ピーク白色に対するサステインパルスの最大数は２０００に等しい。サステイン動作のために使用可能な時間は４ｍｓである。したがって、最初の５００のサステインパルスの最適持続時間は２．５μｓであり、これは２００ｋＨｚの最適動作周波数に相応する。この最初の５００のサステインパルスに必要とされる時間は１２５０μｓであるから、１７５０μｓが別の１５００のサステインパルスに対して使用できる。
【００３７】
本発明の方法によれば、上昇する周波数に対して種々の増加が定義される。
【００３８】
・線形：Ｓｎ＝Ｓｎ−１−ｋ（ｋ＞０）
・乗算係数を使用：Ｓｎ＝Ｓｎ−１×ｋ（ｋ＜１）
別の種々の増加も見つけられるが、この例は線形の増加に制限される。
【００３９】
したがって、以下の数式を解かねばならない。
【００４０】
【数２】
2004341481.tif 000004
【００４１】
Ｓ１＝２．５、Ｓｎ＝Ｓｎ−１−ｋ。
【００４２】
したがって、
【００４３】
【数３】
2004341481.tif 000005
【００４４】
この式から、ｋ＝０．０００８８９μｓが得られる。図７の曲線はこの結果を表しており、図６は、本発明によって各サブフィールドに対するサステインパルス持続時間が増加することが示されている。この図では、最も低い第４のサブフィールドの固定されたサステインパルス持続時間は２．５μｓであり、その下の第８のサブイールドのサステインパルス持続時間は２．５μｓから１．１６μｓへ変化している。線形増加の場合、カウンタのみを使用すればよい。以下のアルゴリズムが使用される。
【００４５】
If (currentSustainNumber＜500)
{
CurrentSustainDuration=2.5μs.
}
Else
{
CurrentSustainDuration=PreviousSustainDuration - k;
PreviousSustainDuration=CurrentSustainDuration;
}
このコンセプトの利点は、均一性を提供するのが最も困難な画像である高チャージ画像（サステインパルスの数が少ない画像）に対して、最適化された安定的なサステイン周波数を配置できることである。
【００４６】
他方では、サステイン信号の持続時間は２．５μｓから１．１６μｓへ減少する。このことによって、周波数を２００ｋＨｚ（２．５μｓ）から４３０ｋＨｚ（１．１６μｓ）まで広範囲に分散させることができる。
【００４７】
図８には、上記の方法のための回路構成のブロック図が示されている。ビデオデガンマ（逆ガンマ）ブロック１０からのＲＧＢデータは、平均出力測定ブロック１１で分析され、ここから計算された平均出力値ＡＰＬがＰＷＥ制御ブロック１１へ送出される。画像の平均出力値は、すべてのＲＧＢデータストリームに対する画素値を単純に加算することによって算出され、この結果は、３によって乗算された画素値の数によって分割される。その際、以下の数式が使用される。
【００４８】
【数４】
2004341481.tif 000006
【００４９】
ここでは、Ｍは画素の合計数を表している。ユーザからの一定のレベルおよび輝度レベルの設定に関する情報もまた、ブロック１２へ送出される。このことは、ブロック１７および１８によって示されている。制御ブロック１２は、内部の出力レベルモードテーブルを考慮する。この出力レベルモードテーブルは、たとえばＬＵＴ（ルックアップテーブル（Look Up Table）の略称）に設けられている。ここで直接、選択されたモード制御信号が別の処理ブロックに対して形成され、使用すべきサステインテーブルおよびサブフィールド符号化テーブルが選択される。
【００５０】
サブフィールド符号化プロセスは、サブフィールド符号化ユニット１３において実行される。ここでは、各画素値に対してサブフィールドコードワードが割り当てられる。簡単な実施形態では、各モードに対してテーブルが設けられ、このテーブルによって割り当てが行われる。このようにして、不明瞭さを回避することができる。
【００５１】
ＰＷＥ制御ブロック１２は、ＲＧＢ画素データのフレームメモリ１４への書き込みＷＲ、ＲＧＢサブフィールドデータＳＦ‐Ｒ、ＳＦ‐Ｇ、ＳＦ‐Ｂの第２のフレームメモリ１４からの読み出しＲＤ、および、制御ラインＳＰを介してのシリアルパラレル変換回路１５も制御する。該ＰＷＥ制御ブロック１２は、ＰＤＰ１６のためのドライバ回路を駆動するために必要とされるスキャンパルス（ＳＣＡＮ）およびサステインパルス（ＳＵＳＴＡＩＮ）を形成する。この場合、アドレシング信号の長さ（アドレシング速度）がＬＵＴから、パネルの各ラインに対して求められる。
【００５２】
ここで留意されたいのは、２つのフレームメモリによって構成されることである。データは１つのフレームメモリへ画素ごとに書き込まれるが、別のフレームメモリからサブフィールドごとに読み出される。完全な第１のサブフィールドを読み出せるようにするため、フレーム全体がすでにメモリ内に存在していなければならない。このことにより、２つの完全なフレームメモリを設ける必要が生じる。１つのフレームメモリが書き込みに使用されている間、他方のフレームメモリを使用することにより、謝ったデータを読み込んでしまうことが回避される。
【００５３】
その後、輝度、コントラストおよびＡＰＬ値に応じて起動されたサステインテーブルに依存して、１サブフィールドあたりで使用されるサステインパルスの数が変更される。制御ブロック内に設けられた内部カウンタは、各フレームの開始時にリセットされ、サステイン動作中に、使用されたサステインパルスのその時点の数をカウントする。予め定められた値Ｃおよびｋに依存して、信号の適切な長さが計算され、サステイン信号（ＳＵＳＴＡＩＮ）を介してプラズマパネルを制御するために使用される。
【００５４】
所定のパネル技術に対し、すべてのパラメータの計算全体が一度に実行され、ＩＣに設けられたプラズマパネルのメモリまたはＬＵＴに記憶される。
【００５５】
図４に示されたブロックは、ハードウェア構成要素よりも、むしろ適切なコンピュータプログラムによって具現化される。
【００５６】
本発明は、ここで開示された実施形態に制限されない。種々の変更が可能であり、本願請求項の範囲に当てはまるように考慮される。
【００５７】
本発明は、グレーレベル変更のための発光の制御等のＰＷＭを使用して制御されるディスプレイであれば、すべてのディスプレイに対して使用可能である。
【図面の簡単な説明】
【００５８】
【図１】プライミングも含めた、ＰＤＰの従来のアドレシングの図である。
【図２】ＰＤＰにおける典型的なパワーマネージメント制御システムを示している。
【図３】ＰＤＰにおけるパワーマネージメントの従来のコンセプトで使用される、画像ロードまたは画像内容のサステインパルス関数を示す曲線である。
【図４】従来技術によるサステイン周波数制御方法を示している。
【図５】ＥＭＩサステイン振幅を示す２つの曲線であり、そのうち１つは従来のコンセプトに対する曲線であり、他方は本発明を使用した場合の曲線である。
【図６】本発明の１つの実施形態によるサステイン周波数制御方法を示している。
【図７】本発明の１つの実施形態によるサステインパルスの上昇を示す曲線である。
【図８】本発明によるサステイン周波数制御方法を実施するための装置を概略的に示している。
【符号の説明】
【００５９】
ＳＦ      サブフレーム
ＳＦ‐Ｒ、ＳＦ‐Ｇ、ＳＦ‐Ｂ  ＲＧＢサブフィールドデータ
【図５】
2004341481.tif 000007
【図６】
2004341481.tif 000008
【図７】
2004341481.tif 000009
【図１】
2004341481.tif 000010
【図２】
2004341481.tif 000011
【図３】
2004341481.tif 000012
【図４】
2004341481.tif 000013
【図８】
2004341481.tif 000014